(57)【要約】【課題】強靭かつ軽量であって装飾性の高い保持具、特に電子機器用保持具を提供すること。【解決手段】磁器製の保持具によって、課題を解決する。磁器は、強靭かつ軽量である。曲げ強度において陶器よりも高い。また、セラミックスは磁器と同等の曲げ強度を有するが、磁器に比して比重が大きい。強度、重量を考慮するのであれば、磁器が最適である。保持具の形状によって、携帯電話、タブレット型コンピュータ等の電子機器を立てかける保持具とすることも、印鑑、つまようじ等の小物を挿入する保持具とすることもできる。【選択図】図１
2015061094.tif 000002
【特許請求の範囲】
【請求項１】
磁器製であって、
略水平の底面部と、該底面部に存する周縁線から立ち上がる略垂直の立面部とを備え、
前記立面部の上縁に前記底面部の上面と平行な直線状部分を有し、
前記底面部の上面に前記周縁線と平行な支持線において被保持物を支持する支持部を有することを特徴とする、保持具。
【請求項２】
前記周縁線と直交する断面において、前記支持線と前記直線状部分とを結ぶ直線と、前記底面部の上面を表す直線との２本の直線のなす角度が３０度〜８５度であることを特徴とする、請求項１に記載の保持具。
【請求項３】
前記支持部は、前記底面部上の前記支持線に対して前記周縁線と反対の側にある領域（支持領域）における、前記支持線を含む閉曲線で囲まれた１つの領域の前記底面部から上方への突起であることを特徴とする、請求項１又は２に記載の保持具。
【請求項４】
前記支持部は、前記支持領域における２以上の部分領域の前記底面部から上方への突起であって、前記支持線が該部分領域の共通接線となるものであることを特徴とする、請求項１又は２に記載の保持具。
【請求項５】
前記底面部において、前記周縁線と前記支持線とを対辺とする四角形の外側の領域に、飾りを有することを特徴とする、請求項１〜４のいずれか１項に記載の保持具。
【請求項６】
磁器製であって、
略水平の底面部と、前記底面部の上方に突出し略円柱形状の孔を有する容器部と、前記底面部の上方に配された飾りを有することを特徴とする、保持具。
【発明の詳細な説明】
【技術分野】
【０００１】
本発明は、電子装置、印鑑等を保持しておくための保持具に関するものである。
【背景技術】
【０００２】
携帯電話、タブレット型コンピュータ等の電子機器を立てかけたり、印鑑、つまようじ等の小物を挿入したりする保持具が知られている。特に、携帯電話を持ち歩かない時に保持するための携帯電話ホルダーが広く用いられている。
【０００３】
携帯電話ホルダーその他の電子機器用保持具は、保持される電子機器の機能に対応する工夫が多くなされてきた。かかる工夫は、充電及びデータ通信に関するものが中心であった。例えば特許文献１及び２にかかる工夫を行った保持具が開示されている。
【０００４】
一方、電子機器用保持具の材質については、特段の工夫は見られない。機能が重視されることと、保持具が特定の箇所に置かれて移動せずに使用されることに鑑みれば強度、重量等を考慮することの必要性が大きいとは考えられていなかったためである。
特許文献３には、陶土等を材質とした携帯電話機の設置物が開示されている。しかし、強度、重量等を考慮したものではない。
【０００５】
電子機器用保持具は、オフィスにおいて各人の机上に設置して使用されることが考えられる。この場合には、意匠的にオフィスの雰囲気にマッチしていることが好ましい。また、意匠的な装飾を施すのであれば、特定の地を訪れた際の土産物や記念品ともなり得る。この場合には、スーツケースに入れること等による持ち帰りの簡便性のため、強靭かつ軽量であることが好ましい。また、印鑑、つまようじ等の小物を挿入する保持具についても、同様に土産物や記念品となり得るので、強靭かつ軽量であることが好ましい。
【０００６】
意匠的な装飾を施された電子機器用保持具であれば、強靭かつ軽量であることに加えて、オフィスの雰囲気にマッチさせることや土産物や記念品として好まれることができるような、装飾性の高い材質が好ましい。しかし、そのような材質についての工夫はなされていなかった。
【先行技術文献】
【特許文献】
【０００７】
【特許文献１】特開２０１３−０６２５８６号公報
【特許文献２】特開２００６−２６２３２６号公報
【特許文献３】特開２０００−２０９３２１号公報
【発明の概要】
【発明が解決しようとする課題】
【０００８】
解決しようとする課題は、強靭かつ軽量であって装飾性の高い保持具、特に電子機器用保持具を提供することである。
【課題を解決するための手段】
【０００９】
磁器製の保持具によって、課題を解決する。磁器は、強靭かつ軽量である。曲げ強度において陶器よりも高い。また、セラミックスは磁器と同等の曲げ強度を有するが、磁器に比して比重が大きい。強度、重量を考慮するのであれば、磁器が最適である。
なお、磁器としては、有田焼が有名である。有田焼は美術品として知られており、磁器は装飾性の高い材質である。
磁器の特徴として、基本色が白色であることが挙げられる。顔料を塗布して各種の色とすることができるが、顔料を塗布しなければ白色となる。電気機器、特にスマートフォンは、各種の色彩のものがあるが、保持具が白色であればオフィスにおいて各人に依存して異なるスマートフォンの色彩とも違和感なくマッチする。
【００１０】
本発明の保持具は、
磁器製であって、
略水平の底面部と、該底面部に存する周縁線から立ち上がる略垂直の立面部とを備え、
前記立面部の上縁に前記底面部の上面と平行な直線状部分を有し、
前記底面部の上面に前記周縁線と平行な支持線において被保持物を支持する支持部を有することを特徴とする。
【００１１】
磁器製であることによって、強靭かつ軽量であって装飾性の高い保持具となる。
形状は、電子機器用保持具に適したものである。他の用途の保持具については後述する。
電子機器の下端が支持部によって支持（滑り止め）され、電子機器の上部が直線状部分に接し立面部によって支持（下方移動止め）される。電子機器は傾斜した状態で保持される。電子機器が１面に表示・操作面を持つタブレット型コンピュータやスマートホンである場合、保持具に保持した状態において使用することができる。
なお、ここで「周縁線」は、底面部の端部に存する線に限定されない。電子機器を保持するためには、底面部のうち周縁線の支持部側のみが必要であり反対側は不要であるため、意匠性等の理由により反対側に底面部を延長しない限り底面部の周縁から立面部が立ち上がるので「周縁線」の用語を用いたものである。
【００１２】
本発明の保持具は、
前記周縁線と直交する断面において、前記支持線と前記直線状部分とを結ぶ直線と、前記底面部の上面を表す直線との２本の直線のなす角度が３０度〜８５度であることを特徴とする。
【００１３】
タブレット型コンピュータやスマートホンである場合、保持具に保持した状態において使用するのに適した角度である。
【００１４】
本発明の保持具は、
前記支持部は、前記底面部上の前記支持線に対して前記周縁線と反対の側にある領域（支持領域）における、前記支持線を含む閉曲線で囲まれた１つの領域の前記底面部から上方への突起であることを特徴とする。
【００１５】
１つの突起が支持部となり、保持具全体として整然とした印象を与えるものとなる。
【００１６】
本発明の保持具は、
前記支持部は、前記支持領域における２以上の部分領域の前記底面部から上方への突起であって、前記支持線が該部分領域の共通接線となるものであることを特徴とする。
【００１７】
突起を小さくすることができ、また、突起に意匠的な装飾を加えることもできる。
【００１８】
本発明の保持具は、
前記底面部において、前記周縁線と前記支持線とを対辺とする四角形の外側の領域に、飾りを有することを特徴とする。
【００１９】
保持される電子機器の存在しない箇所に飾りを設け、保持具全体としての意匠的装飾性を高める。
【００２０】
本発明の保持具は、
磁器製であって、
略水平の底面部と、前記底面部の上方に突出し略円柱形状の孔を有する容器部と、前記底面部の上方に配された飾りを有することを特徴とする。
【００２１】
印鑑、つまようじ等の小物を挿入する保持具の形状である。
磁器製で強靭かつ軽量であることは、電子機器用保持具と同様である。
【発明の効果】
【００２２】
本発明によれば、強靭かつ軽量であって装飾性の高い保持具、特に電子機器用保持具が提供される。
【図面の簡単な説明】
【００２３】
【図１】図１は、電子機器用保持具を示す図である。（実施例１）
【図２】図２は、電子機器用保持具の断面図である。（実施例１）
【図３】図３は、電子機器用保持具の平面図である。（実施例１）
【図４】図４は、電子機器用保持具を示す図である。（実施例２）
【図５】図５は、小物保持具を示す図である。（実施例３）
【発明を実施するための形態】
【実施例１】
【００２４】
図１は、電子機器用保持具を示す図である。保持具１は、磁器製であり、底面部２の周縁から立面部３が立ち上がっている。立面部３の上縁には、底面部２の上面と平行な直線状部分３１がある。底面部２には、支持部４及び飾り５がある。飾り５には、磁器の焼成前に顔料を塗って色づけしてある。
【００２５】
図２は、電子機器用保持具の断面図である。図１においてＳで示した点線部分の断面である。（Ａ）のように、立面部３は周縁線３２から立ち上がり、直線状部分３１は周縁線３２の真上に位置する。支持部４は、支持線４１の周縁線３２とは反対側にある。この断面図において、支持線４１と直線状部分３１とを結ぶ直線と、前記底面部の上面を表す直線との２本の直線のなす角度θは、４５度である。（Ｂ）のように、電子機器６（本実施例ではスマートホン）を、支持部４と直線状部分３１とで保持する。電子機器６はθだけ傾いて保持される。保持された状態で電子機器６を使用するため、θは３０度〜８５度であることが好ましい。
【００２６】
図３は、電子機器用保持具の平面図である。周縁線３２と支持線４１とは平行である。飾り５（その概形を円５１で示す）は、周縁線３２と支持線４１とを対辺とする四角形（他の２辺を点線で示す）の外側の領域にある。
【実施例２】
【００２７】
本実施例は、実施例１の支持部の形状を替えるものである。他の部分については実施例１と同様であるので、説明を省略する。
【００２８】
図４は、電子機器用保持具を示す図である。実施例１の支持部４に変えて、２つの突起４ａ及び４ｂによって支持部が構成されている。４ａ及び４ｂの共通接線４１が支持線となる。
【００２９】
２つの突起４ａ及び４ｂは、自由な形状のものとすることができ、装飾性を持たせることが容易である。本実施例においては、地上を這う小動物の形状としている。
【００３０】
電子機器用保持具においては、電子機器に接続される導電線（電池の充電のためのもの、動作電力を供給するものの双方を含む）の配置が重要な考慮事項となる。導電線を接続した状態で保持することができれば、保持された状態における電子機器の用途が広がるからである。
電子機器がスマートフォンの場合を例として説明する。正面視略長方形のスマートフォンでは、その２つの短辺のうち画面表示の下側のものに導電線の接続端子を有するものが多い。スマートフォンを横長に保持する場合には、実施例１の保持具も本実施例の保持具も、導電線は問題なく側方の空間に配される。一方、スマートフォンを縦長に保持する場合には、本実施例の保持具は、２つの突起４ａと４ｂの間に導電線を配することができる。
むろん、導電線を配するための形状は、本実施例のものに限定されない。例えば、導電線を底面部の下側に通し底面部に設けた孔を貫通させてスマートフォンに接続してもよい。また、底面部に窪みを設けてそこに導電線を配することとしてもよい。
【実施例３】
【００３１】
本実施例は、電子機器用保持具でなく、小物保持具に係るものである。
【００３２】
図５は、小物保持具を示す図である。保持具１は、磁器製であり、飾り５に容器部７が接している、容器部７には直径２０ｍｍの円柱状の孔が設けられ、印鑑、筆具、つまようじ等の小物を挿入して保持することができる。
【実施例４】
【００３３】
本実施例は、電子機器用保持具、小物保持具に共通する、磁器の特徴を示すものである。
【００３４】
磁器は、焼成前に顔料を塗布することで、白色の下地の上に色彩を持たせることができる。かかる顔料の塗布は、特別の技量を有しない者が行うこともできる。陶器製の湯のみについて観光客に絵等を陶器の上に描かせ、その絵等を表した陶器を焼成するサービスは広く知られている。磁器製の保持具についても、同様のサービスが考えられる。また、かかるサービスを提供するものでなくとも、絵等を描く者の個性の表れた保持具を生産することができ、意匠の幅を広げることができる。
【産業上の利用可能性】
【００３５】
強靭かつ軽量であって装飾性の高い保持具であり、多くの個人による活用が考えられる。
【符号の説明】
【００３６】
１    保持具
２    底面部
３    立面部
３１  直線状部分
３２  周縁線
４    支持部
４１  支持線
５    飾り
６    電子機器（スマートホン）
７    容器部
【図１】
2015061094.tif 000003
【図２】
2015061094.tif 000004
【図３】
2015061094.tif 000005
【図４】
2015061094.tif 000006
【図５】
2015061094.tif 000007